(57)【要約】【課題】Ｈ．２６４方式を採用する場合でも、まだら切り換えが可能なＴＳパケット多重化装置を提供する。【解決手段】多重化装置１０において、エンコーダ２０−１，２０−２でＨ．２６４方式により圧縮符号化されて出力されたＴＳパケット及び、データ放送サーバ３０から出力されたＴＳパケットは、バッファ１１−１〜１１−３で一時的に格納され、多重化部１２で多重化されて送出される。また、制御装置４０から停止信号が与えられた場合には、多重化装置１０は、検知制御部１３でＴＳパケットのヘッダに付される終了情報を検知し、停止信号を受け取った時のＴＳパケットから、終了情報がヘッダに付されたＴＳパケットまでの多重化を継続する。【選択図】      図１
2008236186.tif 000002
【特許請求の範囲】
【請求項１】
複数系統のエンコーダそれぞれでＩＴＵ−Ｔ（International Telecommunication Union-Telecommunication Standardization Sector：国際電気通信連合−電気通信標準化部門）勧告Ｈ．２６４方式によって圧縮符号化処理されたＴＳ（Transport Stream）パケットの出力を多重化し、停止の指示入力に従って多重化を停止するＴＳパケット多重化装置において、
前記複数系統のエンコーダから出力されるＴＳパケットをそれぞれ一時的に格納し、互いに同期させて出力する複数のバッファ部と、
前記複数のバッファ部から出力されるＴＳパケットをパケット単位で時分割多重する多重化部と、
前記多重化部から順次送出されるＴＳパケットそれぞれのヘッダを監視して終了情報を検知し、前記停止の指示入力を受けてから前記終了情報が検知されるまで前記多重化部に多重化を継続させる検知制御部と
を具備することを特徴とするＴＳパケット多重化装置。
【請求項２】
前記終了情報は、「End Of Sequence」又は「End Of Stream」であることを特徴とする請求項１記載のＴＳパケット多重化装置。
【請求項３】
複数系統のエンコーダそれぞれでＩＴＵ−Ｔ（International Telecommunication Union-Telecommunication Standardization Sector：国際電気通信連合−電気通信標準化部門）勧告Ｈ．２６４方式によって圧縮符号化処理されたＴＳ（Transport Stream）パケットの出力を多重化し、停止の指示入力に従って多重化を停止するＴＳパケット多重化装置に用いられるＴＳパケット多重化方法において、
前記複数系統のエンコーダから出力されるＴＳパケットをそれぞれ一時的に格納して互いに同期させて出力し、
前記出力されたＴＳパケットをパケット単位で時分割多重し、
前記時分割多重されて順次送出されるＴＳパケットそれぞれのヘッダを監視して終了情報を検知し、前記停止の指示入力を受けてから前記終了情報が検知されるまで前記多重化部に多重化を継続させることを特徴とするＴＳパケット多重化方法。
【請求項４】
前記終了情報は、「End Of Sequence」又は「End Of Stream」であることを特徴とする請求項３記載のＴＳパケット多重化方法。
【発明の詳細な説明】
【技術分野】
【０００１】
この発明は、例えば映像信号等が圧縮されてなるＴＳ（Transport Stream）パケットを多重するＴＳパケット多重化装置とその多重化方法に関する。
【背景技術】
【０００２】
現在、ＢＳ（Broadcasting Satellite）デジタル放送、地上デジタル放送では、映像信号をＨＤ（High Definition）映像及び、ＳＤ（Standard Definition）映像として、ＭＰＥＧ２方式により圧縮している。ＭＰＥＧ２方式で圧縮されてＴＳパケットとなったＨＤ映像及び、ＳＤ映像は、ＴＳパケット多重化装置により多重されてＩＳＤＢ−Ｔ（Integrated Services Digital Broadcasting for Terrestrial）方式に即した信号となり外部へ送出される。
【０００３】
このＭＰＥＧ２方式で用いられるＴＳパケット多重化装置は、停止対象について、映像の最後のＴＳパケットを送出してから、次の映像のＴＳパケットの送出を開始する、いわゆるまだら切り換えが可能である。このまだら切り換えにより、ＭＰＥＧ２方式を採用する放送では、映像信号の停止時に、その映像信号を最後まで多重することが可能である。
【０００４】
ところで、近年、地上デジタル放送では、映像信号の圧縮符号化処理にＩＴＵ−Ｔ（International Telecommunication Union-Telecommunication Standardization Sector：国際電気通信連合−電気通信標準化部門）勧告Ｈ．２６４方式の採用が決定され、すでにワンセグ放送として実用化されている。今後は、ＩＰ（Internet Protocol）放送、ＢＳデジタル放送において、ＨＤ映像として、映像信号をＨ．２６４方式で圧縮符号化することが予想される。しかしながら、このＨ．２６４方式では、圧縮符号化処理の手法が標準化されているにすぎず、ＴＳパケットの多重化処理に関しては特に取り決めはなされていない。このため、Ｈ．２６４方式仕様のＴＳパケット多重化装置では、ＭＰＥＧ２方式と同じようにまだら切り換えを行うための機能がなく、映像信号の停止時に映像信号が最後まで多重されないという問題が生じている。
【０００５】
なお、従来の技術として、受信した複数系統のデジタル信号パケットを等間隔で出力することにより、多重化による遅延揺らぎを抑制し、受信側におけるデコーダでのバッファ破綻を防ぐ例がある（例えば、特許文献１参照。）。
【特許文献１】特開２００３−２６４８０５号公報
【発明の開示】
【発明が解決しようとする課題】
【０００６】
以上のように、Ｈ．２６４方式採用のＴＳパケット多重化装置では、多重化の停止を指示された場合に、停止対象の映像のＴＳパケット送出を直ちに停止してしまい、映像の最後のＴＳパケットまで多重を行うことができず、最後の映像のＴＳパケットを送出してから、次の映像のＴＳパケットの送出を開始する、いわゆるまだら切り換えを行うことができなかった。
【０００７】
そこで、本発明の目的は、Ｈ．２６４方式を採用する場合でも、まだら切り換えが可能なＴＳパケット多重化装置とその多重化方法を提供することにある。
【課題を解決するための手段】
【０００８】
上記目的を達成するため、本発明は、複数系統のエンコーダそれぞれでＩＴＵ−Ｔ（International Telecommunication Union-Telecommunication Standardization Sector：国際電気通信連合−電気通信標準化部門）勧告Ｈ．２６４方式によって圧縮符号化処理されたＴＳ（Transport Stream）パケットの出力を多重化し、停止の指示入力に従って多重化を停止するＴＳパケット多重化装置において、前記複数系統のエンコーダから出力されるＴＳパケットをそれぞれ一時的に格納し、互いに同期させて出力する複数のバッファ部と、前記複数のバッファ部から出力されるＴＳパケットをパケット単位で時分割多重する多重化部と、前記多重化部から順次送出されるＴＳパケットそれぞれのヘッダを監視して終了情報を検知し、前記停止の指示入力を受けてから前記終了情報が検知されるまで前記多重化部に多重化を継続させる検知制御部とを具備する。
【０００９】
このような手段を講じることにより、本発明に係るＴＳパケット多重化装置がＨ．２６４方式により圧縮符号化されたＴＳパケットの多重化を停止する指示を受けた場合、検知制御部で多重化部から送出されるＴＳパケットのヘッダに付される終了情報を検知し、上記指示の受け取り時のＴＳパケットから、終了情報が付されたＴＳパケットまで、ＴＳパケットの多重化を継続するようにしている。これにより、ＴＳパケット多重化装置は、多重化を停止する指示を受けてもＴＳパケットの送出を直ちに停止せず、映像の最後のＴＳパケットまで多重化することが可能となる。
【発明の効果】
【００１０】
この発明によれば、多重化を停止する指示を受けても、Ｈ．２６４方式により圧縮符号化されたＴＳパケットの多重化を直ちに停止せず、映像の最後のＴＳパケットまで多重化することができるため、Ｈ．２６４方式で圧縮されたＴＳパケットのまだら切り換えが可能となる。
【発明を実施するための最良の形態】
【００１１】
以下、図面を参照しながら本発明の実施の形態について詳細に説明する。
【００１２】
図１は、本発明の一実施形態に係る多重化装置１０を備えた放送ＴＳ作成システムの機能構成を示すブロック図である。図１において、符号１０は多重化装置を示し、この多重化装置１０は、Ｈ．２６４エンコーダ２０−１，２０−２及び、データ放送サーバ３０から出力されるＴＳパケットを多重化して送出する。制御装置４０は、Ｈ．２６４エンコーダ２０−１，２０−２への映像信号等の入力を停止させる停止信号をＨ．２６４エンコーダ２０−１，２０−２に送り、同時に多重化を停止させる停止信号を多重化装置１０へ出力する。また、制御装置４０は、データ放送サーバ３０の出力を停止させる停止信号を制御装置４０に送り、上記と同様に多重化装置１０へ停止信号を出力する。
【００１３】
上記Ｈ．２６４エンコーダ２０−１，２０−２、データ放送サーバ３０は、入力される映像信号等をＨ．２６４方式により圧縮符号化してＴＳパケットとして出力する。このとき、一連の映像信号、関連情報等を表示するために必要な連続した複数個のＴＳパケットのうち、最後のＴＳパケットのヘッダには、一連のＴＳパケットの最後である旨を示す指標として、End Of Sequence又はEnd Of Streamと示される終了情報を付する。また、制御装置４０からの停止信号を受け取ると、ＴＳパケットの出力を停止する。
【００１４】
上記多重化装置１０は、Ｈ．２６４エンコーダ２０−１，２０−２及び、データ放送サーバ３０からそれぞれ出力されたＴＳパケットを、ＴＳパケット毎にバッファ１１−１〜１１−３で一時的に格納して互いに同期させる。そして、各バッファ１１−１〜１１−３から出力されるＴＳパケットを多重化部１２で例えば、ＩＳＤＢ−Ｔ方式となるようにパケット単位で時分割多重して送出する。検知制御部１３は、制御装置４０からの停止信号を受け取った場合、多重化部１２から順次送出されるＴＳパケットそれぞれのヘッダを監視して終了情報を検知する。このとき、終了情報が検知されると、停止信号を受け取った時のＴＳパケットから終了情報が付されたＴＳパケットまでの多重化を多重化部１２に継続させる。
【００１５】
次に、上記構成においてエンコーダ２０−１に停止信号が与えられた際の、多重化装置１０における検知制御部１３の処理動作を説明する。
【００１６】
図２は、本発明の一実施形態に係る検知制御部１３の処理動作を示すフローチャートである。
【００１７】
まず、制御装置４０がエンコーダ２０−１及び、多重化装置１０へ停止信号を出力したとする。この場合、多重化装置１０において、検知制御部１３は、制御装置４０からの停止信号があるか否かを判断する（ステップＳＴ２ａ）。ここでは、エンコーダ２０−１への停止信号と共に多重化装置１０への停止信号があるため（ステップＳＴ２ａのＹｅｓ）、多重化部１２から送出されるＴＳパケットのヘッダを監視して終了情報が付されているか否かを判断する（ステップＳＴ２ｂ）。ＴＳパケットのヘッダに終了情報が検知される場合（ステップＳＴ２ｂのＹｅｓ）、終了情報が付されているＴＳパケットの多重化終了後、エンコーダ２０−１から出力されるＴＳパケットの多重化を停止させる旨の信号を多重化部１２に出力し（ステップＳＴ２ｃ）、処理動作を終了する。
【００１８】
以上のように、多重化装置１０は、エンコーダ２０−１，２０−２でＨ．２６４方式により圧縮符号化されて出力されたＴＳパケット及び、データ放送サーバ３０から出力されたＴＳパケットを多重化部１２で多重化して送出している。また、多重化装置１０に制御装置４０から停止信号が与えられた場合には、検知制御部１３でＴＳパケットのヘッダに付される終了情報を検知し、停止信号を受け取った時のＴＳパケットから、終了情報がヘッダに付されたＴＳパケットまでの多重化を継続する。これにより、多重化装置１０は、エンコーダ２０−１，２０−２又は、データ放送サーバ３０が制御装置４０からの停止信号を受け取った時に出力した映像信号を、その映像信号の最後まで多重化することが可能となる。
【００１９】
したがって、本発明に係る多重化装置１０は、検知制御部１３により多重化部１２におけるＴＳパケットの多重化を制御することにより、Ｈ．２６４方式を採用する場合でも、停止対象の映像の最後のＴＳパケットを送出してから、次の映像のＴＳパケットの送出を開始する、いわゆるまだら切り換えが可能となる。
【００２０】
なお、この発明は上記実施形態に限定されるものではない。例えば上記実施形態では、Ｈ．２６４エンコーダが２つである場合の例について説明したが、Ｈ．２６４エンコーダの個数が２以外である場合でも同様に実施可能である。
【００２１】
また、上記実施形態では、データ放送サーバからデータ放送がＴＳパケットとして出力され、多重化装置で多重化される例について説明したが、データ放送サーバの変わりにＳＩ（Service Information）／ＥＰＧ（Electronic Program Guide）サーバを用い、ＳＩ、ＥＰＧ及びＰＳＩ（Program Specific Information）をＴＳパケットとして出力し、多重化装置で多重化する場合でも同様に実施可能である。
【００２２】
さらに、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００２３】
【図１】本発明に係る多重化装置を備えた放送ＴＳ生成システムの一実施形態の機能構成を示すブロック図。
【図２】上記一実施形態の検知制御部の処理動作を示すフローチャート。
【符号の説明】
【００２４】
１０…多重化装置、１１−１〜１１−３…バッファ、１２…多重化部、１３…検知制御部、２０−１，２０−２…Ｈ．２６４エンコーダ、３０…データ放送サーバ、４０…制御装置。
【図１】
2008236186.tif 000003
【図２】
2008236186.tif 000004